(57)【特許請求の範囲】
【請求項１】
中心軸と、前記中心軸を円の中心に備える円盤状のインク保持部と、前記インク保持部の外縁に円周状に配置されたリング状のインク発現部と、前記インク保持部と前記インク発現部とを覆うように配置される少なくとも１つのカバーを備え、前記インク発現部が前記インク保持部とともに前記カバーに対して前記中心軸を中心に回転可能であると共に、前記インク保持部が複数の区画に分かれ、それぞれ異なる色のインクを保持することにより、複数の色を発現可能とする筆記具。
【請求項２】
前記インク保持部が６〜３２の区画に分かれる、請求項１に記載の筆記具。
【請求項３】
前記インク発現部において、前記インク保持部の複数の区画からのインクが混ざり合い、グラデーションが表現可能である、請求項１または２に記載の筆記具。
【請求項４】
前記カバーが外カバーと内カバーから構成され、前記外カバーが前記内カバーを覆うように中心軸まわりに回転可能に配置され、前記外カバー及び／又は前記内カバーの回転により前記インク発現部を露出させることができる、請求項１乃至３に記載の筆記具。
【請求項５】
前記インク保持部の複数の区画がそれぞれ解離可能である、請求項１乃至４に記載の筆記具。
【請求項６】
棒状部材を備えた連結器具と、前記連結器具により連結された請求項１乃至５のいずれか一項に記載の複数の筆記具とを備え、前記筆記具の前記中心軸は、内部に中空を備え、前記棒状部材を貫通できる、連結筆記具。
【請求項７】
複数色のインクで筆記するための筆記具であって、前記インクを保持するとともに発現もする円盤状のインク保持兼発現部と、前記インク保持兼発現部の一部を露出する露出口を有し且つ前記インク保持兼発現部を回転可能に収容するカバーとを備え、前記インク保持兼発現部が、前記複数色のインクを保持し且つ円形に配列できる複数の扇形区画から構成されていることを特徴とする筆記具。
【請求項８】
前記インク保持兼発現部がインクを吸収して保持する吸水性素材から形成されている請求項７に記載の筆記具。
【発明の詳細な説明】
【技術分野】
【０００１】  本発明は、嵩張らず、ｉ）様々な色の単色のライン、ｉｉ）ライン方向に色変化するライン、ｉｉｉ）ラインの幅方向において色変化するラインをそれぞれ容易に描くことのできる筆記具に関する。
【背景技術】
【０００２】  複数の機能をもつ筆記具に多色ボールペンがある。多色ボールペンは一つの本体内に複数の細いボールペンを収納することで多機能を実現している。【０００３】  また、グラデーションラインを描く筆記具に、特許文献１、２のように二種類のインクを同一のペン先に浸透させた中心軸式のマーキングペンがある。これらはラインの幅内におけるグラデーションを表現することができる。【０００４】  さらに、多色芯を用いた鉛筆、多色インクを用いたボールペンがある。多色芯を用いた鉛筆、多色インクを用いたボールペンでは、ランダムに多色が発現する。このように、ペンやマーカーには多色を使いたいというニーズがある。そのため、多くの人が複数の色のペンを携帯しなければならない。
【先行技術文献】
【特許文献】
【０００５】
【特許文献１】特開２００４−０２７０８１号公報
【特許文献２】実開平０７−０４３８４６号公報
【発明の開示】
【発明が解決しようとする課題】
【０００６】  しかし、ペンを複数携帯すると、かさばってしまう他、ペンケースから目的のペンを探す手間がかかる。【０００７】  上記課題を解決する手段として、一つの本体内に複数の細いボールペンを収納した多色ボールペンがある。しかし、マーキングペンのインク収納部はボールペンのインク収納部よりも太いため、同様の仕様の商品をつくることが困難である。【０００８】  また、筆記用具で表現しにくい模様の一つにグラデーションがある。特許文献１、２は二種類のインクを同一のペン先に浸透させた中心軸式のマーキングペンによりグラデーションを実現している。しかし、この方法では、多色を鮮明に発現させることは難しい。さらに、これはラインの幅内におけるグラデーションであり、書き進むにしたがって色が変化するグラデーションを描くことはできない。【０００９】  そこで、一つの筆記用具において、多色の単色ライン、線の幅内におけるグラデーションライン、書き進むにしたがって色変化が起こるカラフルなグラデーションラインをそれぞれ容易に引けるマーキングペンを実現することを発明の課題（目的）とする。
【課題を解決するための手段】
【００１０】  本発明者は検討の結果、以下の筆記具であれば課題を解決できることを見出し、本発明に到達した。本発明は下記の通りである。
［１］  中心軸と、前記中心軸を円の中心に備える円盤状のインク保持部と、前記インク保持部の外縁に円周状に配置されたリング状のインク発現部と、前記インク保持部と前記インク発現部とを覆うように配置される少なくとも１つのカバーを備え、前記インク発現部が前記インク保持部とともに前記カバーに対して前記中心軸を中心に回転可能であると共に、前記インク保持部が複数の区画に分かれ、それぞれ異なる色のインクを保持することにより、複数の色を発現可能とする筆記具。
［２］  前記インク保持部が６〜３２の区画に分かれる、［１］に記載の筆記具。
［３］  前記インク発現部において、前記インク保持部の複数の区画からのインクが混ざり合い、グラデーションが表現可能である、［１］または［２］に記載の筆記具。
［４］  前記カバーが外カバーと内カバーから構成され、前記外カバーが前記内カバーを覆うように中心軸まわりに回転可能に配置され、前記外カバー及び／又は前記内カバーの回転により前記インク発現部を露出させることができる、［１］乃至［３］に記載の筆記具。
［５］  前記インク保持部の複数の区画がそれぞれ解離可能である、［１］乃至［４］に記載の筆記具。
［６］  棒状部材を備えた連結器具と、前記連結器具により連結された［１］乃至［５］のいずれか一項に記載の複数の筆記具とを備え、前記筆記具の前記中心軸は、内部に中空を備え、前記棒状部材を貫通できる、連結筆記具。
［７］  複数色のインクで筆記するための筆記具であって、前記インクを保持するとともには発現もする円盤状のインク保持兼発現部と、前記インク保持兼発現部の一部を露出する露出口を有し、前記インク保持兼発現部を回転可能に収容するカバーとを備え、前記インク保持兼発現部が、前記複数色のインクを保持し且つ円形に配列できる複数の扇形区画から構成されていることを特徴とする筆記具。
［８］  前記インク保持兼発現部がインクを吸収して保持する素材から形成されている［７］に記載の筆記具。
【発明の効果】
【００１１】  本発明によれば、下記の効果が発揮される。
［１］  中心軸と、前記中心軸を円の中心に備える円盤状のインク保持部と、前記インク保持部の外縁に円周状に配置されたリング状のインク発現部と、前記インク保持部と前記インク発現部とを覆うように配置される少なくとも１つのカバーを備え、前記インク発現部が前記インク保持部とともに前記カバーに対して前記中心軸を中心に回転可能であると共に、前記インク保持部が複数の区画に分かれ、それぞれ異なる色のインクを保持することにより、複数の色を発現可能とする筆記具により、後記のように多様な線を筆記することができる。
（１）  マーキングペンを紙面に押し当てながら中心軸まわりに転がすことで、書き進むにしたがって色変化が起こる線を筆記できる。
（２）  筆記具の異なる色が隣接する境界部分を紙面に押し付け、そのまま中心軸方向に移動すると、ラインの幅方向に色変化する線を筆記できる。
（３）  引きたい単色の色領域を紙面に押し当て、筆記具を両側側面から圧迫することにより中心軸まわりの回転を止め、（１）と同様の方向に移動させることにより、単色の線を筆記できる。
（４）  （１）または（３）において、筆記具を紙面に垂直に配置して線を引いたが、筆記具を紙面に４５°程度傾けて使用することで、より細い線を描くことができる。
（５）  （３）において、（２）と同様に中心軸方向への移動とすることにより、より太い単色の線を筆記できる。
このため、発明品は１つで多様な役割を果たし、特に複数色を呈するマーカーとしての機能を有する。【００１２】また、１つで多様な役割を果たすため持ち歩く筆記用具の数を減らすことができる。ペンケースから目的のペンを探す手間を省くことができ、また、発明品は薄い円盤状であるという形状から、特にノートやメモ帳と共に持ち歩く際にかばんの中で嵩張らず、携帯が容易である。【００１３】  通常のペンは、親指、人差し指、中指による三点保持が必要なのに対して、発明品は両脇からの二点保持により筆記できる。そのため、障がい者、高齢者、幼児にも使用しやすい。また、左右差の無い形状のため、左利きの方にとっても右利きの方と相違なく使いやすい。【００１４】  この発明品の生産に必要な材料はプラスチックパーツ、フェルト、インクのみであり、いずれもコストが低い。また、単純な機構のため製造が容易であり、製造コストを抑えることができる。【００１５】  前記インク保持部と前記インク発現部とを覆うように配置される少なくとも１つのカバーを備えることにより、筆記具を把持する際に手にインクが付着してしまうことを防止することができ、インクの乾燥を防止することができる。さらに、インク発現部を完全に覆うことができるため、かばんに入れて携帯するときであっても、他の文房具等を汚すのを防止することができる。【００１６】［２］  前記筆記具において、前記インク保持部が６〜３２の区画に分かれていれば、区画ごとに異なる色のインクを収容することで多くの色を使用することができる。【００１７】［３］  前記筆記具の前記インク発現部において、前記インク保持部の複数の区画からのインクが混ざり合い、グラデーションが表現可能であれば、今までの筆記具では表現できなかったグラデーションを奏することができる。【００１８】［４］  前記筆記具において、前記インク発現部カバーが外カバーと内カバーから構成され、前記外カバーが前記内カバーを覆うように中心軸まわりに回転可能に配置され、前記外カバー及び／又は前記内カバーの回転により使用時のみ前記インク発現部を露出させることができる。【００１９】［５］  前記筆記具において、前記インク保持部の複数の区画が互いに解離可能であれば、インクがなくなった区画のみ交換することができる上、好みの色のインクを配置することができる。【００２０】［６］  棒状部材を備えた連結器具と、前記連結器具により連結された複数の前記筆記具とを備え、前記筆記具の前記中心軸は、内部に中空を備え、前記棒状部材を貫通する、連結筆記具は、複数の筆記具を備えるため、平行で一定間隔のグラデーションの線を複数筆記することができる。【００２１】［７］  複数色のインクで筆記するための筆記具であって、前記インクを保持するとともに発現もする円盤状のインク保持兼発現部と、前記インク保持兼発現部の一部を露出する露出口を有し、前記インク保持兼発現部を回転可能に収容するカバーとを備え、前記インク保持兼発現部が、前記複数色のインクを保持し且つ円形に配列できる複数の扇形区画から構成されていることを特徴とする筆記具は、上記［１］乃至［４］に記載の筆記具と同様の効果に加え、インク保持部とインク発現部が一体となったシンプルな構造であるため更に製造コストを安く抑えることができる。【００２２】［８］  ［７］の筆記具において、前記インク保持兼発現部がインクを吸収して保持する素材から形成されていれば、インクを保持しつつ用紙と接触するだけでインクを用紙上にと発現させることができる。
【図面の簡単な説明】
【００２３】
【図１】図１は、本発明にかかるインク発現部カバーを備えた筆記具の、カバーを閉じた状態の全体図を示す。
【図２】図２は、本発明にかかるインク発現部カバーを備えた筆記具の、カバーを開いた状態の全体図を示す。
【図３】図３は、本発明にかかる筆記具の、本体２を示す。
【図４】図４は、本発明にかかる筆記具の、インク保持部４と中心軸Ｘを示す。
【図５】図５は、本発明にかかる筆記具の、インク発現部５を示す。
【図６】図６は、本発明にかかる筆記具の、本体２の断面図を示す。
【図７】図７は、本発明にかかる筆記具の、内カバー３ａと外カバー３ｂを示す。
【図８】図８は、本発明の書き進むにしたがって色変化が起こる線の筆記時の説明図を示す。
【図９】図９は、本発明の単色の線の筆記時の説明図を示す。
【図１０】図１０は、本発明にかかる筆記具を複数備えた連結筆記具７を示す。
【図１１】図１１は、複数の中心軸を貫通させることのできる棒状部材６Ｘを備えた連結器具６を示す。
【図１２】図１２は、本発明にかかる筆記具のインク保持部４の解離した区画をはめあう際の説明図を示す。
【図１３】図１３は、図１４の断面図における切断面の説明図を示す。
【図１４】図１４は、本発明にかかる筆記具のインク保持部４の解離した区画をはめあう部分を説明した断面図を示す。
【図１５】図１５は、本体２の変形例を示す概念図である。
【発明を実施するための形態】
【００２４】  本発明にかかる筆記具の形態を、実施例の図に基づいて説明する。
図１、図２は、本発明にかかる筆記具１の、カバー３を閉じた状態と開いた状態の全体図を示す。発明した筆記具１は、図２に示すように、中心に孔（図８の符号３ａｘ、３ｂｘ）を有する円盤状のカバー３と、カバー３内に収容された円盤状の本体２を有する。カバー３は、開閉により本体２を露出可能とする内カバー３ａと外カバー３ｂとを備える。
【００２５】  本体２は、図３に示すように、中心軸Ｘと、円盤状のインク保持部４とその外側を取り囲むリング状のインク発現部５により構成される。後述するように、中心軸Ｘがカバーの孔に回転可能に挿入されることで、本体２はカバー３内で回転することができる。なお、「インク発現部」とは、用紙などの被接触体に対してインクを付着又は出力させる部分のことを言う。
【００２６】  インク保持部４とインク発現部５を図４と図５に、本体２の断面図を図６にそれぞれ示す。
【００２７】  インク保持部４は、中心軸Ｘから放射状に区画された扇型の部屋を内部に持つ複数の区画により形成される。それぞれの部屋には液状のインクが収納される。図３に示した具体例は４色のインクがそれぞれ収納される４つの区画４ａ、４ｂ、４ｃ、４ｄの対から形成されている。図４に示すように、インク保持部４の外周には、一定の角度間隔ごとにインク保持部孔４ｎが形成されている。
【００２８】  インク発現部５は、フェルトやスポンジのようなインクを保持することができる素材から形成された単一のリング状の部材であり、図５に示すように、内周面から一定の角度間隔ごとにリングの中心に向かってインク発現部突起５ｎが伸びている。
【００２９】  これらのインク発現部突起５ｎは、図４に示すインク保持部４の外周に設けられたインク保持部孔４ｎに挿入でき、インク発現部５は、インク保持部４と合体することができる。各色の区画４ａ、４ｂ、４ｃ、４ｄにおいて、扇型の部屋に収納されている液状のインクは、インク保持部孔４ｎに嵌っているインク発現部突起５ｎを通じて、インク発現部５に染み出す。
【００３０】  グラデーションが表現可能である発明品において、異色の区画の境目を覆うインク発現部５の部分でインクが混ざり合う。すなわち、インク発現部５はその内側のインク保持部４の各領域からインク発現部突起５ｎに向かって染み出したインクにより染まるため、４つの区画４ａ、４ｂ、４ｃ、４ｄに対応する色が染みだした８つの区画と隣接する区画間の混合色を有する領域とをインク発現部５の外周面に創出することになる。また、インク発現部５は、インク保持部４とともに、後述するカバー３に対して中心軸Ｘを中心に回転可能な構成になっている。このような構成にすることにより、カバー３を把持しながら、インク発現部５とインク保持部４を回転させることができ、回転させながら、筆記することが可能となる。
【００３１】  内カバー３ａと外カバー３ｂを有する筆記具１では、内カバー３ａとそれよりやや半径及び厚さの大きい外カバー３ｂからなる二つのかまぼこ状のカバーが同軸状に重なるように組み合わされており、中心軸Ｘ周りに相対回転するようになっている。このようにすることにより、持ち運び時はインク発現部５の全体を覆うことができ、バックなどに入れても、ノートやその他の物を汚すことを防止するとともに、使用時には、インク発現部５を露出しながら、手を汚さずに筆記することができる。図７に示すように、内カバー３ａ及び外カバー３ｂは、それぞれ、かまぼこ状の直線部分が中心より離れる方向（図では下側）に延びている形状となっており、それぞれに中心位置に孔３ａｘ及び孔３ｂｘを有する。内カバー３ａ及び外カバー３ｂは、それぞれ内部に空間を有し、内カバー３ａの内部空間に本体２のほぼ半分が収納される。外カバー３ｂの内部空間に、内カバー３ａの一部と、本体２のほぼ半分が収納される。内カバー３ａの孔３ａｘおよび外カバー３ｂの孔３ｂｘに本体２の中心軸Ｘが挿入されることによって、外カバー３ｂと内カバー３ａが本体２に対して同軸に回転する。外カバー３ｂと内カバー３ａが相対回転することにより、カバー３（内カバー３ａ及び外カバー３ｂから構成される）の内側に収容された本体２のインク発現部５が露出口（かまぼこ状の直線部分）から露出したり（図２参照）、閉鎖されたり（図１参照）する。凹凸による噛み合わせ部分が内カバー３ａの外壁と外カバーの内壁に設けることにより（共に図示しない）、それらが噛み合ったり開放したりすることにより閉じた状態と一定の角度に開いた状態で自由回転しない状態で保持することができる。
【００３２】  書き進むにしたがって色変化が起こる線の筆記時の説明図を図８に示す。インク発現部カバー３を手指で保持し、本体２を紙面に押し当てながら中心軸まわりに転がすことで、書き進むにしたがって色変化が起こる線を筆記できる。
【００３３】  ラインの幅方向に色変化する線を筆記する際には、筆記具１の異なる色が隣接する境界部分を紙面に押し付け、そのまま中心軸方向に本体２を回転させながら移動すると、ラインの幅方向に色変化する線を筆記できる。
【００３４】  本発明の単色の線の筆記時の説明図を図９に示す。引きたい単色の色領域を紙面に押し当て、筆記具を両側側面から圧迫することにより押圧された本体２は回転を止めることができ、中心軸方向もしくは中心軸と垂直な方向に移動させることにより、単色の線を筆記できる。
【００３５】  中心軸と垂直な方向への移動に比べて中心軸方向への移動ではより太い線が筆記できる。また、中心軸と垂直な方向への移動において、筆記具を紙面に４５°程度傾けて使用することで、より細い線を描くことができる。
【００３６】  筆記具１は、複数組み合わせることによって、連結筆記具７とすることができる。連結するための連結器具６としての連結用ドラム６を用いる。連結用ドラム６によって連結させた、筆記具１を複数備えた形態を図１０に、連結用ドラムを図１１に示す。連結用ドラム６は、図１１のように複数の筆記具１の中心軸を貫通させることのできる棒状部材を備えた糸巻き状の形態を有し、筆記具１の中心軸Ｘを除去して中空にし、その中空部分を連結用ドラム６の棒状部材６Ｘで貫き、連結させる。この筆記形態により、一定間隔で平行な線を描くことができる。これは自由に連結、分離ができ、携帯する際にはカバーを閉じた状態で連結する。
【００３７】  インク保持部４の複数の区画は、互いに解離させることができる態様にしてもよい。このような態様では、インク保持部４は、図１２に示すように扇型状に分割される。ユーザーは任意の色の区画を選び、組み合わせることができる。特定の区画のインクが消耗した場合に、その区画だけをカートリッジのようにして交換することもできる。図１３に示した面における断面図を図１４に示す。組み合わせる際には、図１４にあるような凹部Ｒと凸部Ｐの嵌め合わせにより、区画同士を固定することができる。
【００３８】  上記実施形態により本発明の筆記具を具体的に示したが、本発明の筆記具はそれらの具体例に限定されず、特許請求の範囲に記載した範囲で、いわゆる当業者が思い付く種々の変形を含み得る。例えば、上記実施形態では、カバー３は中心軸Ｘ回りを相対回転する内カバー３ａ及び外カバー３ｂから構成したが、内カバー３ａ及び外カバー３ｂのうち、一方のみを中心軸Ｘ回りに回転可能とし、他方は一方のカバーに嵌め合わせることができる固定キャップとしてもよい。使用者は、固定キャップを中心軸Ｘ周りに回転可能なカバー３から取り外すことによって、カバー３の露出口からインク発現部５を露出させることができる。例えば、図２で示したカバー３ａ及び３ｂを一つのカバーとし、固定キャップは、露出している本体２の扇形の部分を覆うような形状にし、カバー３に対して着脱可能とすることができる。
【００３９】  上記実施形態で用いるカバー３は、プラスチックなどの材料で形成することができるが、全部または一部を透明または半透明とすることにより、使用者が書こうとしているラインの色が分かり易くなる。また、インクの残量も確認し易くなる。例えば、カバー３の外周分だけを透明または半透明にしてもよいし、側面に環状の透明または半透明部を設けてもよい。使用者が現在書いている色を認識しやすくするために、例えば、図３に示した４つの区画４ａ、４ｂ、４ｃ、４ｄの対を、互いに対向する区画（１８０度回転対称区画）を同じインク色として配置し、カバー３の外周部または外周部の上方だけを透明または半透明とすることで、使用者は紙面と接触しているインク発現部５の色を、カバー３の外周の最上部に現れるインク発現部５の色から認識することができる。
【００４０】  上記実施形態では、インク発現部５に突起５ｎを設けていたが、孔４ｎからインクが染みだしてインク発現部５に浸透されるのであれば突起５ｎを省略してもよい。また、インク発現部５は本体２を周回するように向けられていたが、インク保持部４の各区画の外縁部に設けてもよい。すなわち、インク保持部とインク発現部を区画ごとに一体化してもよい。
【００４１】  上記実施形態では、インク保持部４は内部にインクを収容する容器であったが、インク保持部４の中にフェルトやスポンジのようなインクを吸収し且つ保持できるような吸水性素材を配置してもよいし、インク保持部４の容器の代わりに吸水性素材を用いてもよい。
別の態様として、インク保持部４とインク発現部５を完全に一体化したインク保持兼発現部８にし、インク保持兼発現部８をフェルトやスポンジのようなインクを吸収し且つ保持できるような吸水性素材にすることにより、製造時に各区画８ａの吸水性素材に所定の色のインクを浸透するだけで本体２を構成することができる。インク保持兼発現部８を用いた態様では、例えば、図１５に示すようにすべての区画８ａを扇形の吸水性素材、例えば、ポリエステル繊維から構成し、それらを円形に配列し、インク保持兼発現部８の両側面から一対の円形板７（図１５では、一方の円形板７のみ記載）で挟み込むことによって、扇形の区画８ａの位置を互いに固定することができる。区画８ａ同士を確実に固定するために、円形板７には各区画の吸水性素材に食い込む突起７ａを設けてもよい。
【符号の説明】
【００４２】１  筆記具
２  本体
３  カバー
３ａ  内カバー
３ａｘ  内カバー孔
３ｂ  外カバー
３ｂｘ  外カバー孔
４  インク保持部
４ａ  インク保持部の区画
４ｂ  インク保持部の区画
４ｃ  インク保持部の区画
４ｄ  インク保持部の区画
４ｎ  インク保持部孔
５  インク発現部
５ｎ  インク発現部突起
６  連結用ドラム（連結用器具）
６ｘ  ドラム中心軸（棒状部材）
Ｘ  中心軸
Ｒ  凹部
Ｐ  凸部
７  円形板
７ａ  突起
８  インク保持兼発現部
８ａ  区画
【要約】
【課題】様々な色の単色のラインとグラデーションライン、また、細い線、太い線を描くなど、１つで多様な機能を有し、嵩張らず携帯にしやすい筆記用具を提供する。
【解決手段】中心軸と、前記中心軸を円の中心に備える円盤状のインク保持部と、前記インク保持部の外縁に円周状に配置されたリング状のインク発現部と、前記インク保持部と前記インク発現部とを覆うように配置される少なくとも１つのカバーを備え、前記インク発現部が前記インク保持部とともに前記カバーに対して前記中心軸を中心に回転可能であると共に、前記インク保持部が複数の区画に分かれ、それぞれ異なる色のインクを保持することにより、複数の色を発現可能とする筆記具。
【選択図】図２【図１】
0006764045.tif 000002
【図２】
0006764045.tif 000003
【図３】
0006764045.tif 000004
【図４】
0006764045.tif 000005
【図５】
0006764045.tif 000006
【図６】
0006764045.tif 000007
【図７】
0006764045.tif 000008
【図８】
0006764045.tif 000009
【図９】
0006764045.tif 000010
【図１０】
0006764045.tif 000011
【図１１】
0006764045.tif 000012
【図１２】
0006764045.tif 000013
【図１３】
0006764045.tif 000014
【図１４】
0006764045.tif 000015
【図１５】
0006764045.tif 000016